(57)【特許請求の範囲】
【請求項１】
無線基地局が、当該無線基地局と接続されている状態であってセカンダリセルが設定されていない状態の移動局に対して、測定周波数ごとに、異周波数測定処理用の測定周期を通知する工程Ａと、
前記移動局が、前記測定周波数及び前記異周波数測定処理用の測定周期に基づいて、現在接続中のセルと異なる周波数のセルにおける測定処理を行う工程Ｂとを有することを特徴とする移動通信方法。
【請求項２】
前記工程Ａにおいて、前記移動局に対して、前記無線基地局は、ホットスポットセルで運用されている測定周波数ごとに、ホットスポットセル用の異周波数測定処理用の測定周期を通知し、
前記工程Ｂにおいて、前記移動局は、共通の異周波数測定処理用の測定周期に基づいて、現在接続中のマクロセルにおける測定処理を行い、前記ホットスポットセル用の異周波数測定処理用の測定周期に基づいて、該マクロセルと異なるホットスポットセルにおける測定処理を行うことを特徴とする請求項１に記載の移動通信方法。
【請求項３】
前記工程Ａにおいて、前記無線基地局は、測定設定信号内の測定対象を規定する情報要素内に前記異周波数測定処理用の測定周期を設定することによって通知することを特徴とする請求項１に記載の移動通信方法。
【請求項４】
前記工程Ｂにおいて、前記移動局は、測定設定信号内の測定対象を規定する情報要素内に設定されているセカンダリセル用の測定周期を用いて、前記測定処理を行うことを特徴とする請求項１に記載の移動通信方法。
【請求項５】
無線基地局と接続されている状態であってセカンダリセルが設定されていない場合、無線基地局から、測定周波数ごとに、異周波数測定処理用の測定周期を取得するように構成されている受信部と、
前記測定周波数及び前記異周波数測定処理用の測定周期に基づいて、現在接続中のセルと異なる周波数のセルにおける測定処理を行うように構成されている測定部とを具備することを特徴とする移動局。
【請求項６】
無線基地局と接続されている状態であってセカンダリセルが設定されていない場合、前記受信部は、前記無線基地局から、ホットスポットセルで運用されている測定周波数ごとに、ホットスポットセル用の異周波数測定処理用の測定周期を取得するように構成されており、
前記測定部は、共通の異周波数測定処理用の測定周期に基づいて、現在接続中のマクロセルにおける測定処理を行い、前記ホットスポットセル用の異周波数測定処理用の測定周期に基づいて、該マクロセルと異なるホットスポットセルにおける測定処理を行うように構成されていることを特徴とする請求項５に記載の移動局。
【請求項７】
前記受信部は、測定設定信号内の測定対象を規定する情報要素から、前記異周波数測定処理用の測定周期を取得するように構成されていることを特徴とする請求項５に記載の移動局。
【請求項８】
前記受信部は、測定設定信号内の測定対象を規定する情報要素内に設定されているセカンダリセル用の測定周期を、前記異周波数測定処理用の測定周期として取得するように構成されていることを特徴とする請求項５に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式では、図１に示すように、広いエリアをサポートするカバレッジバンドによって運用されているセル（例えば、セル＃１１）のカバーエリア内に、ホットスポットにおいてスループットを改善させるためのキャパシティバンドによって運用されているセル（例えば、セル＃１１Ａ/セル＃１１Ｂ）を配置することが検討されている。
【０００３】
かかる環境下において、図２に示すように、移動局ＵＥは、周波数ｆ１において運用されているセル＃１１において「ＲＲＣ_Ｃｏｎｎｅｃｔｅｄ状態」である場合に、ＣＡ（Ｃａｒｒｉｅｒ  Ａｇｇｒｅｇａｔｉｏｎ、キャリアアグリゲーション）におけるＳｃｅｌｌとしての追加の可否を判断するために、セル＃１１のカバーエリア内に配置されているセル＃１１Ａ/セル＃１１Ｂにおける「Ｉｎｔｅｒ-Ｆｒｅｑｕｅｎｃｙ  Ｍｅａｓｕｒｅｍｅｎｔ」を行うことが期待されている。
【先行技術文献】
【非特許文献】
【０００４】
【非特許文献１】３ＧＰＰ寄書  Ｒ２-１１５７４５
【非特許文献２】３ＧＰＰ  ＴＳ３６.１３３
【発明の概要】
【発明が解決しようとする課題】
【０００５】
しかしながら、一般的に、セル＃１１Ａ/セル＃１１Ｂのカバーエリアは、セル＃１１のカバーエリアと比べて、かなり狭いにも関わらず、現在のＬＴＥ方式では、セル＃１１Ａ/セル＃１１Ｂにおける「Ｉｎｔｅｒ-Ｆｒｅｑｕｅｎｃｙ  Ｍｅａｓｕｒｅｍｅｎｔ」を、セル＃１１のカバーエリア内で常に行わなければならないという問題点があった。
【０００６】
また、現在のＬＴＥ方式の「Ｉｎｔｅｒ-Ｆｒｅｑｕｅｎｃｙ  Ｍｅａｓｕｒｅｍｅｎｔ」では、測定周波数の数に比例して、測定周期が長くなるという性能が規定されている。
【０００７】
さらには、ＬＴＥ方式のＦＤＤ方式では、測定可能な異周波数の数は、移動局ＵＥに対して最大３キャリア（ＬＴＥ方式のＴＤＤ方式は、最大４キャリア）と規定されている。
【０００８】
よって、カバレッジバンドによって複数のセル（マクロセル）が運用され、かつ、キャパシティバンドによって複数のセル（ホットスポットセル）が運用されている場合、移動局ＵＥが、ホットスポットセルを常に測定し続けることで、マクロセルにおける測定周期が長くなり、マクロセル間のハンドオーバ品質が劣化することが予想される。
【０００９】
また、ＬＴＥ方式のＦＤＤ方式では、測定可能な異周波数の数は、移動局ＵＥに対して最大３キャリア（ＬＴＥ方式のＴＤＤ方式は、最大４キャリア）と規定されていることも、将来の運用で不足することが懸念される。
【００１０】
そこで、本発明は、上述の課題に鑑みてなされたものであり、現在のＬＴＥ方式では、測定周波数ごとに異なる測定処理の測定周期を設定することができる移動通信方法、無線基地局及び移動局を提供することを目的とする。
【課題を解決するための手段】
【００１１】
本発明の第１の特徴は、移動通信方法であって、無線基地局が、当該無線基地局と接続されている状態であってセカンダリセルが設定されていない状態の移動局に対して、測定周波数ごとに、異周波数測定処理用の測定周期を通知する工程Ａと、前記移動局が、前記測定周波数及び前記異周波数測定処理用の測定周期に基づいて、現在接続中のセルと異なる周波数のセルにおける測定処理を行う工程Ｂとを有することを要旨とする。
【００１３】
本発明の第２の特徴は、移動局であって、無線基地局と接続されている状態であってセカンダリセルが設定されていない場合、無線基地局から、測定周波数ごとに、異周波数測定処理用の測定周期を取得するように構成されている受信部と、前記測定周波数及び前記異周波数測定処理用の測定周期に基づいて、現在接続中のセルと異なる周波数のセルにおける測定処理を行うように構成されている測定部とを具備することを要旨とする。
【発明の効果】
【００１４】
以上説明したように、本発明によれば、現在のＬＴＥ方式では、測定周波数ごとに異なる測定処理の測定周期を設定することができる移動通信方法、無線基地局及び移動局を提供することができる。
【図面の簡単な説明】
【００１５】
【図１】本発明の第１の実施形態に係る移動通信システムの全体構成図である。
【図２】本発明の第１の実施形態に係る移動通信システムにおいて移動局によって行われる測定処理について説明するための図である。
【図３】本発明の第１の実施形態に係る無線基地局の機能ブロック図である。
【図４】本発明の第１の実施形態に係る無線基地局によって送信される「ＭｅａａＯｂｊｅｃｔＥＵＴＲＡ」のフォーマットの一例を示す図である。
【図５】本発明の第１の実施形態に係る無線基地局によって送信される「ＭｅａａＯｂｊｅｃｔＥＵＴＲＡ」に含まれる「ＭｅａｓＧａｐＣｏｎｆｉｇ」のフォーマットの一例を示す図である。
【図６】本発明の第１の実施形態に係る無線基地局によって送信される「ＭｅａａＯｂｊｅｃｔＥＵＴＲＡ」に含まれる「ＭｅａｓＧａｐＣｏｎｆｉｇ」として設定可能な値の一例を示す図である。
【図７】本発明の第１の実施形態に係る移動局の機能ブロック図である。
【図８】本発明の変更例１に係る無線基地局によって送信される「ＭｅａａＯｂｊｅｃｔＥＵＴＲＡ」の一例を示す図である。
【発明を実施するための形態】
【００１６】
（本発明の第１の実施形態に係る移動通信システム）
図１乃至図７を参照して、本発明の第１の実施形態に係る移動通信システムについて説明する。
【００１７】
図１に示すように、本実施形態に係る移動通信システムは、ＬＴＥ-Ａｄｖａｎｃｅｄ方式をサポートするものであって、異なる周波数帯域のキャリアによって運用されているＰｃｅｌｌ及びＳｃｅｌｌを用いて「Ｉｎｔｅｒ-ｂａｎｄ  ＣＡ」を行うことができるように構成されている。
【００１８】
なお、本実施形態に係る移動通信システムは、同一の周波数帯域内のキャリアによって運用されているＰｃｅｌｌ及びＳｃｅｌｌを用いて「Ｉｎｔｒａ-ｂａｎｄ  ＣＡ」を行うことができるように構成されていてもよい。
【００１９】
図１に示すように、本実施形態に係る移動通信システムは、無線基地局ｅＮＢ＃１〜ｅＮＢ＃３によって、セル＃１１〜セル＃３３及びセル＃１１Ａ〜セル＃３３Ｂを管理している。
【００２０】
ここで、セル＃１１〜セル＃３３は、広いエリアをサポートするカバレッジバンド、例えば、周波数ｆ１のキャリア（ＰＣＣ：Ｐｒｉｍａｒｙ  Ｃｏｍｐｏｎｅｎｔ  Ｃａｒｒｉｅｒ）によって運用されているセル（例えば、マクロセル）である。
【００２１】
一方、セル＃１１Ａ〜セル＃３３Ｂは、セル＃１１〜セル＃３３のカバーエリア内に配置されており、ホットスポットにおいてスループットを改善させるためのキャパシティバンド、例えば、周波数ｆ２/ｆ３のキャリア（ＳＣＣ：Ｓｅｃｏｎｄａｒｙ  Ｃｏｍｐｏｎｅｎｔ  Ｃａｒｒｉｅｒ）によって運用されているセル（例えば、ピコセル又はホットスポットセル）である。
【００２２】
例えば、図２に示すように、移動局ＵＥは、周波数ｆ１において運用されているセル＃１１において「ＲＲＣ_Ｃｏｎｎｅｃｔｅｄ状態」である場合に、無線基地局ｅＮＢ＃１からの指示に応じて、セル＃１１のカバーエリア内に配置されているセル＃１１Ａ/セル＃１１Ｂにおける「Ｉｎｔｅｒ-Ｆｒｅｑｕｅｎｃｙ  Ｍｅａｓｕｒｅｍｅｎｔ」を行うように構成されている。
【００２３】
図３に示すように、本実施形態に係る無線基地局ｅＮＢは、設定部１１と、送信部１２とを具備している。
【００２４】
設定部１１は、移動局ＵＥに対して通知すべき「Ｉｎｔｅｒ-Ｆｒｅｑｕｅｎｃｙ  Ｍｅａｓｕｒｅｍｅｎｔ」用の測定周期を設定するように構成されている。
【００２５】
ここで、設定部１１は、測定周波数ごとに、「Ｉｎｔｅｒ-Ｆｒｅｑｕｅｎｃｙ  Ｍｅａｓｕｒｅｍｅｎｔ」用の測定周期を設定することができるように構成されている。
【００２６】
例えば、図４及び図５に示すように、設定部１１は、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内の「ｍｅａｓＧａｐＣｏｎｆｉｇ」に、図６に示す「Ｇａｐ  Ｐａｔｔｅｒｎ  Ｉｄ」を設定することによって、「Ｉｎｔｅｒ-Ｆｒｅｑｕｅｎｃｙ  Ｍｅａｓｕｒｅｍｅｎｔ」用の測定周期を設定することができるように構成されていてもよい。
【００２７】
また、設定部１１は、Ｓｃｅｌｌが設定されていない状態の移動局ＵＥに対して、ホットスポットセル（例えば、セル＃１１Ａ/＃１１Ｂ）で運用されている測定周波数（例えば、ｆ２/ｆ３）ごとに、ホットスポットセル用の「Ｉｎｔｅｒ-Ｆｒｅｑｕｅｎｃｙ  Ｍｅａｓｕｒｅｍｅｎｔ」用の測定周期を設定するように構成されていてもよい。
【００２８】
送信部１２は、移動局ＵＥに対して各種信号を送信するように構成されている。例えば、送信部１２は、移動局ＵＥに対して、設定部１１によって設定された「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を送信するように構成されていてもよい。
【００２９】
また、送信部１２は、Ｓｃｅｌｌが設定されていない状態の移動局ＵＥに対して、ホットスポットセル（例えば、セル＃１１Ａ/＃１１Ｂ）で運用されている測定周波数（例えば、ｆ２/ｆ３）ごとに、ホットスポットセル用の「Ｉｎｔｅｒ-Ｆｒｅｑｕｅｎｃｙ  Ｍｅａｓｕｒｅｍｅｎｔ」用の測定周期を通知するように構成されていてもよい。
【００３０】
なお、送信部１２は、既存のＬＴＥ方式において規定されているように、移動局ＵＥに対して、共通の「Ｉｎｔｅｒ-Ｆｒｅｑｕｅｎｃｙ  Ｍｅａｓｕｒｅｍｅｎｔ」用の測定周期を通知するように構成されている。
【００３１】
図７に示すように、本実施形態に係る移動局ＵＥは、受信部２１と、測定部２２とを具備している。
【００３２】
受信部２１は、無線基地局ｅＮＢによって送信される各種信号を受信するように構成されている。
【００３３】
例えば、受信部２１は、無線基地局ｅＮＢから、「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を受信するように構成されていてもよい。
【００３４】
ここで、受信部２１は、受信した「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内の「ｍｅａｓＧａｐＣｏｎｆｉｇ」から、「Ｉｎｔｅｒ-Ｆｒｅｑｕｅｎｃｙ  Ｍｅａｓｕｒｅｍｅｎｔ」用の測定周期を取得するように構成されていてもよい。
【００３５】
例えば、移動局ＵＥに対して、Ｓｃｅｌｌが設定されていない場合、受信部２１は、無線基地局ｅＮＢから、ホットスポットセル（例えば、セル＃１１Ａ/＃１１Ｂ）で運用されている測定周波数（例えば、ｆ２/ｆ３）ごとに、ホットスポットセル用の「Ｉｎｔｅｒ-Ｆｒｅｑｕｅｎｃｙ  Ｍｅａｓｕｒｅｍｅｎｔ」用の測定周期を取得するように構成されていてもよい。
【００３６】
また、受信部２１は、既存のＬＴＥ方式において規定されているように、無線基地局ｅＮＢから、共通の「Ｉｎｔｅｒ-Ｆｒｅｑｕｅｎｃｙ  Ｍｅａｓｕｒｅｍｅｎｔ」用の測定周期を取得するように構成されていてもよい。
【００３７】
測定部２２は、受信した「Ｍｅａｓｕｒｅｍｅｎｔ  Ｃｏｎｆｉｇｕｒａｔｉｏｎ」に基づいて、測定処理を行うように構成されている。
【００３８】
例えば、「ＭｅａｓＯｂｊｅｃｔＥＵＴＲＡ」によって規定されている測定周波数ごとに、受信部によって取得された「Ｉｎｔｅｒ-Ｆｒｅｑｕｅｎｃｙ  Ｍｅａｓｕｒｅｍｅｎｔ」用の測定周期に基づいて、現在接続中のセル＃１１と異なる周波数ｆ２/ｆ３のセル＃１１Ａ/＃１１Ｂにおける測定処理を行うように構成されていてもよい。
【００３９】
ここで、測定部２２は、共通の「Ｉｎｔｅｒ-Ｆｒｅｑｕｅｎｃｙ  Ｍｅａｓｕｒｅｍｅｎｔ」用の測定周期に基づいて、現在接続中のマクロセル（例えば、セル＃１１）における測定処理を行い、ホットスポットセル用の「Ｉｎｔｅｒ-Ｆｒｅｑｕｅｎｃｙ  Ｍｅａｓｕｒｅｍｅｎｔ」用の測定周期に基づいて、かかるマクロセル（例えば、セル＃１１）と異なるホットスポットセル（例えば、セル＃１１Ａ/＃１１Ｂ）における測定処理を行うように構成されていてもよい。
【００４０】
なお、受信部２１が、ホットスポットセル用の「Ｉｎｔｅｒ-Ｆｒｅｑｕｅｎｃｙ  Ｍｅａｓｕｒｅｍｅｎｔ」用の測定周期を取得しない場合、測定部２２は、共通の「Ｉｎｔｅｒ-Ｆｒｅｑｕｅｎｃｙ  Ｍｅａｓｕｒｅｍｅｎｔ」用の測定周期に基づいて、現在接続中のマクロセル（例えば、セル＃１１）と異なるホットスポットセル（例えば、セル＃１１Ａ/＃１１Ｂ）における測定処理を行うように構成されていてもよい。
【００４１】
本実施形態に係る発明によれば、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内の「ｍｅａｓＧａｐＣｏｎｆｉｇ」によって、測定対象ごとに「Ｉｎｔｅｒ-Ｆｒｅｑｕｅｎｃｙ  Ｍｅａｓｕｒｅｍｅｎｔ」用の測定周期を設定することができるため、図１に示すような環境下において、セル＃１１Ａ/セル＃１１Ｂにおける「Ｉｎｔｅｒ-Ｆｒｅｑｕｅｎｃｙ  Ｍｅａｓｕｒｅｍｅｎｔ」の測定周期を、現在通信中のセル＃１１における測定処理の測定周期よりも長くすることによって、移動局ＵＥのバッテリの浪費を回避しつつ、適切な「Ｉｎｔｅｒ-Ｆｒｅｑｕｅｎｃｙ  Ｍｅａｓｕｒｅｍｅｎｔ」用の測定周期を行うことができる。
【００４２】
（変更例１）
図８を参照して、本発明の変更例１に係る移動通信システムについて説明する。以下、本変更例１に係る移動通信システムについて、上述の実施形態１に係る移動通信システムとの相違点に着目して説明する。
【００４３】
本変更例１に係る移動通信システムでは、無線基地局ｅＮＢの設定部１１は、図８に示すように、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０」に、「Ｉｎｔｅｒ-Ｆｒｅｑｕｅｎｃｙ  Ｍｅａｓｕｒｅｍｅｎｔ」用の測定周期を設定するように構成されている。
【００４４】
なお、現在のＬＴＥ方式では、かかる「ｍｅａｓＣｙｃｌｅＳｃｅｌｌ-ｒ１０」に対しては、Ｓｃｅｌｌとして設定されているがアクティブ化されていないセルにおける「Ｉｎｔｅｒ-Ｆｒｅｑｕｅｎｃｙ  Ｍｅａｓｕｒｅｍｅｎｔ」の測定周期を設定することができるとされている。
【００４５】
これに対して、本実施形態に係る移動通信システムでは、図８に示すように、かかる「ｍｅａｓＣｙｃｌｅＳｃｅｌｌ-ｒ１０」に対して、Ｓｃｅｌｌとして設定されているがアクティブ化されていないセルにおける「Ｉｎｔｅｒ-Ｆｒｅｑｕｅｎｃｙ  Ｍｅａｓｕｒｅｍｅｎｔ」の測定周期だけでなく、Ｓｃｅｌｌとして設定されていないセルにおける「Ｉｎｔｅｒ-Ｆｒｅｑｕｅｎｃｙ  Ｍｅａｓｕｒｅｍｅｎｔ」の測定周期についても設定することができるように拡張することとする。
【００４６】
また、本変更例１に係る移動通信システムでは、移動局ＵＥの受信部２１は、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０」に設定されている測定周期（ｓｆ１６０/１６０サブフレーム〜ｓｆ１２８０/１２８０サブフレーム）を、「Ｉｎｔｅｒ-Ｆｒｅｑｕｅｎｃｙ  Ｍｅａｓｕｒｅｍｅｎｔ」用の測定周期として取得するように構成されている。
【００４７】
本変更例１に係る移動通信システムによれば、現在のＬＴＥ方式で規定されている「Ｍｅａｓｕｒｅｍｅｎｔ  Ｃｏｎｆｉｇｕｒａｔｉｏｎ」のフォーマットに対して情報要素を追加することなく、上述の第１実施形態に係る移動通信システムと同様の効果を得ることができる。
【００４８】
以上に述べた本実施形態の特徴は、以下のように表現されていてもよい。
【００４９】
本実施形態の第１の特徴は、移動通信方法であって、無線基地局ｅＮＢが、移動局ＵＥに対して、測定周波数ごとに、「Ｉｎｔｅｒ-Ｆｒｅｑｕｅｎｃｙ  Ｍｅａｓｕｒｅｍｅｎｔ（異周波数測定処理）」用の測定周期を通知する工程Ａと、移動局ＵＥが、測定周波数及び「Ｉｎｔｅｒ-Ｆｒｅｑｕｅｎｃｙ  Ｍｅａｓｕｒｅｍｅｎｔ」用の測定周期に基づいて、現在接続中のセル＃１１と異なる周波数ｆ２/ｆ３のセル＃１１Ａ/＃１１Ｂにおける測定処理を行う工程とを有することを要旨とする。
【００５０】
本実施形態の第１の特徴において、工程Ａにおいて、Ｓｃｅｌｌが設定されていない状態の移動局ＵＥに対して、無線基地局ｅＮＢが、測定周波数ごとに、「Ｉｎｔｅｒ-Ｆｒｅｑｕｅｎｃｙ  Ｍｅａｓｕｒｅｍｅｎｔ」用の測定周期を通知してもよい。
【００５１】
本実施形態の第１の特徴において、工程Ａにおいて、移動局ＵＥに対して、Ｓｃｅｌｌ（セカンダリセル）が設定されていない場合、無線基地局ｅＮＢは、ホットスポットセルで運用されている測定周波数ごとに、ホットスポットセル用の「Ｉｎｔｅｒ-Ｆｒｅｑｕｅｎｃｙ  Ｍｅａｓｕｒｅｍｅｎｔ」用の測定周期を通知し、工程Ｂにおいて、移動局ＵＥは、共通の「Ｉｎｔｅｒ-Ｆｒｅｑｕｅｎｃｙ  Ｍｅａｓｕｒｅｍｅｎｔ」用の測定周期に基づいて、現在接続中のマクロセルにおける測定処理を行い、ホットスポットセル用の「Ｉｎｔｅｒ-Ｆｒｅｑｕｅｎｃｙ  Ｍｅａｓｕｒｅｍｅｎｔ」用の測定周期に基づいて、かかるマクロセルと異なるホットスポットセルにおける測定処理を行ってもよい。
【００５２】
本実施形態の第１の特徴において、工程Ａにおいて、無線基地局ｅＮＢは、「Ｍｅａｓｕｒｅｍｅｎｔ  Ｃｏｎｆｉｇｕｒａｔｉｏｎ（測定設定信号）」内の「ＭｅａｓＯｂｊｅｃｔＥＵＴＲＡ（測定対象を規定する情報要素）」内の「ｍｅａｓＧａｐＣｏｎｆｉｇ」に「Ｉｎｔｅｒ-Ｆｒｅｑｕｅｎｃｙ  Ｍｅａｓｕｒｅｍｅｎｔ」用の測定周期を設定することによって通知してもよい。
【００５３】
本実施形態の第１の特徴において、工程Ｂにおいて、移動局ＵＥは、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０（セカンダリセル用の測定周期）」を用いて、現在接続中のセル＃１１と異なる周波数ｆ２/ｆ３のセル＃１１Ａ/＃１１Ｂにおける測定処理を行ってもよい。
【００５４】
本実施形態の第２の特徴は、無線基地局ｅＮＢであって、移動局ＵＥに対して、測定周波数ごとに、「Ｉｎｔｅｒ-Ｆｒｅｑｕｅｎｃｙ  Ｍｅａｓｕｒｅｍｅｎｔ」用の測定周期を通知するように構成されている送信部１２を具備することを要旨とする。
【００５５】
本実施形態の第２の特徴において、送信部１２は、Ｓｃｅｌｌが設定されていない状態の移動局ＵＥに対して、測定周波数ごとに、「Ｉｎｔｅｒ-Ｆｒｅｑｕｅｎｃｙ  Ｍｅａｓｕｒｅｍｅｎｔ」用の測定周期を通知するように構成されていてもよい。
【００５６】
本実施形態の第２の特徴において、送信部１２は、Ｓｃｅｌｌが設定されていない状態の移動局ＵＥに対して、ホットスポットセルで運用されている測定周波数ごとに、ホットスポットセル用の「Ｉｎｔｅｒ-Ｆｒｅｑｕｅｎｃｙ  Ｍｅａｓｕｒｅｍｅｎｔ」用の測定周期を通知するように構成されていてもよい。
【００５７】
本実施形態の第２の特徴において、送信部１４は、「Ｉｎｔｅｒ-Ｆｒｅｑｕｅｎｃｙ  Ｍｅａｓｕｒｅｍｅｎｔ」用の測定周期が設定された「ｍｅａｓＧａｐＣｏｎｆｉｇ」を含む「ＭｅａｓＯｂｊｅｃｔＥＵＴＲＡ」を含む「Ｍｅａｓｕｒｅｍｅｎｔ  Ｃｏｎｆｉｇｕｒａｔｉｏｎ」をすることによって、測定周波数ごとに、「Ｉｎｔｅｒ-Ｆｒｅｑｕｅｎｃｙ  Ｍｅａｓｕｒｅｍｅｎｔ」用の測定周期を通知するように構成されていてもよい。
【００５８】
本実施形態の第３の特徴は、移動局ＵＥであって、無線基地局ｅＮＢから、測定周波数ごとに、「Ｉｎｔｅｒ-Ｆｒｅｑｕｅｎｃｙ  Ｍｅａｓｕｒｅｍｅｎｔ」用の測定周期を取得するように構成されている受信部２１と、測定周波数及び「Ｉｎｔｅｒ-Ｆｒｅｑｕｅｎｃｙ  Ｍｅａｓｕｒｅｍｅｎｔ」用の測定周期に基づいて、現在接続中のセル＃１１と異なる周波数ｆ２/ｆ３のセル＃１１Ａ/＃１１Ｂにおける測定処理を行うように構成されている測定部２２とを具備することを要旨とする。
【００５９】
本実施形態の第３の特徴において、移動局に対してＳｃｅｌｌが設定されていない場合、受信部２１は、無線基地局ｅＮＢから、測定周波数ごとに、「Ｉｎｔｅｒ-Ｆｒｅｑｕｅｎｃｙ  Ｍｅａｓｕｒｅｍｅｎｔ」用の測定周期を取得するように構成されていてもよい。
【００６０】
本実施形態の第３の特徴において、移動局ＵＥに対してＳｃｅｌｌが設定されていない場合、受信部２１は、無線基地局ｅＮＢから、ホットスポットセルで運用されている測定周波数ごとに、ホットスポットセル用の「Ｉｎｔｅｒ-Ｆｒｅｑｕｅｎｃｙ  Ｍｅａｓｕｒｅｍｅｎｔ」用の測定周期を取得するように構成されており、測定部２２は、共通の「Ｉｎｔｅｒ-Ｆｒｅｑｕｅｎｃｙ  Ｍｅａｓｕｒｅｍｅｎｔ」用の測定周期に基づいて、現在接続中のマクロセルにおける測定処理を行い、ホットスポットセル用の「Ｉｎｔｅｒ-Ｆｒｅｑｕｅｎｃｙ  Ｍｅａｓｕｒｅｍｅｎｔ」用の測定周期に基づいて、かかるマクロセルと異なるホットスポットセルにおける測定処理を行うように構成されていてもよい。
【００６１】
本実施形態の第３の特徴において、受信部２１は、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内の「ｍｅａｓＧａｐＣｏｎｆｉｇ」から、「Ｉｎｔｅｒ-Ｆｒｅｑｕｅｎｃｙ  Ｍｅａｓｕｒｅｍｅｎｔ」用の測定周期を取得するように構成されていてもよい。
【００６２】
本実施形態の第３の特徴において、受信部２１は、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０」に設定されている測定周期を、「Ｉｎｔｅｒ-Ｆｒｅｑｕｅｎｃｙ  Ｍｅａｓｕｒｅｍｅｎｔ」用の測定周期として取得するように構成されていてもよい。
【００６３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６７】
ＵＥ…移動局
ｅＮＢ…無線基地局
１１…設定部
１２…送信部
２１…受信部
２２…測定部
【図１】
0006001865.tif 000002
【図２】
0006001865.tif 000003
【図３】
0006001865.tif 000004
【図４】
0006001865.tif 000005
【図５】
0006001865.tif 000006
【図６】
0006001865.tif 000007
【図７】
0006001865.tif 000008
【図８】
0006001865.tif 000009